(57)【要約】【課題】洗浄液等の液体を収容した容器を手で押し圧することにより該容器と連結したブラシ部から液体を流出させて毛髪や頭皮に塗布することができると同時に、洗髪時等に変形しない強度を有しながらも頭皮（地肌）をマッサージする突起部は肌を傷めない柔軟性を備えた、ハンディなヘアケア用具を提供することにある。【解決手段】複数の突起を有するブラシ部と、当該ブラシ部と分離可能に連結された液体収納部とからなるヘアケア用具であって、前記ブラシ部は、前記液体収納部に貯留された液体を先端から流出できる流出孔を内部に備えた液体導入用突起を少なくとも一つ有する突起集合体と、該突起集合体を取替可能に支持する支持部材及び前記液体収納部の取り付けが可能な取付部材を備え、突起集合体と支持体とが結合した状態においては前記流出孔と連結する液体収納部からの液体を導入する導入孔を有する支持体と、からなる。【選択図】  図１
2005328918.tif 000002
【特許請求の範囲】
【請求項１】
ブラシ部と液体収納部とが分離可能に連結されてなる、人又は動物用のヘアケア用具であって、
前記ブラシ部は、複数の突起及び当該突起の根元に位置する基板を備えた突起集合体と、当該突起集合体と着脱可能に結合される結合部を備えた支持体と、からなり、
前記突起集合体は液体を前記根元から先端の穴に向かって流出できる流出孔を内部に備えた液体漏出用突起を少なくとも一つ有するものであり、前記支持体は前記液体収納部内の液体をブラシ部へ導入するための導入孔を前記液体漏出用突起と相対する位置に有するものであり、
前記突起集合体と前記支持体とが結合された状態において前記流出孔と前記導入孔とは連結されて連通孔を形成するものであるヘアケア用具。
【請求項２】
前記突起集合体は、前記基板の非突起面において前記基板を挟んで前記液体漏出用突起が位置する箇所の反対側に突設され、かつ、前記導入孔の突起集合体に向く開口又は当該開口上に設けられた凹部に嵌合できる形状及び大きさを備えた凸部を有するものであり、
前記凸部内には前記流出孔が前記液体漏出用突起内から前記凸部内まで延長して設けられており、前記開口または前記凹部に嵌合された状態で前記流出孔が前記導入孔と連結されて前記連通孔を形成するものである請求項１記載のヘアケア用具。
【請求項３】
前記支持体は、前記突起集合体に向く面において前記導入孔の位置する箇所に突設され、かつ、前記液体漏出用突起の根元に位置する前記基板内部に存する流出孔の開口又はその開口上に設けられた凹部に嵌合できる大きさ及び形状の凸部を備えるものであり、
前記凸部内には前記導入孔が支持体内部から延長して設けられており、前記凸部が前記開口又は前記凹部に嵌合された状態において前記流出孔が前記導入孔と連結されて前記連通孔を形成するものである請求項１記載のヘアケア用具。
【請求項４】
前記突起集合体は、前記基板の非突起面において前記基板を挟んで前記液体漏出用突起が位置する箇所の反対側に突設され、前記液体漏出用突起内部から連続して形成された流出孔を内蔵する第１凸部を有するものであり、
前記支持体は、前記突起集合体に向く面において前記導入孔の位置する箇所に突設され、前記支持体内から前記導入孔が連続して形成された導入孔を内蔵する第２凸部を有するものであり、
前記第１凸部内の前記流出孔に前記第２凸部が嵌合され、又は、前記第２凸部内の前記導入孔内に前記第１凸部が嵌合されることにより、前記流出孔と前記導入孔とが連結されて前記連通孔を形成するものである請求項１記載のヘアケア用具。
【請求項５】
前記突起集合体は、前記流出孔が形成された液体漏出用突起からなる第１突起群と、前記連通孔を有さない突起からなる第２突起群と、を備えるものであり、
前記第１突起群の液体漏出用突起は、前記第２突起群の突起より短い長さ寸法である請求項１から４いずれか記載のヘアケア用具。
【請求項６】
前記突起集合体は、前記支持体に比べて剛性が低いものである請求項１から５いずれか記載のヘアケア用具。
【請求項７】
前記支持体は、前記突起集合体を支持する支持部材と、前記液体収納部を取り付ける取付部材と、を有するものであり、
前記液体収納部は、前記ブラシ部へ液体を供給するための開口である液供給口と、前記支持体に取り付けられるための被取付部材と、を備え、
前記取付部材と前記被取付部材とは螺合して結合されるものである請求項１から６いずれか記載のヘアケア用具。
【請求項８】
前記液体収納部の被取付部材には、液体噴出用の噴出孔が前記導入孔と同数以上形成された円盤状のキャップが取り付けられており、
前記導入孔と前記噴出孔とは前記ブラシ部及び／又は前記液体収容部を回転させたときの回転中心から一定の半径を有する円周上に形成されるものであり、
使用者が前記支持体及び／又は前記液体収容部を回転させることにより前記ブラシ部への液体供給量を調節できるものである請求項１から７いずれか記載のヘアケア用具。
【請求項９】
前記噴出孔の少なくとも一つは前記支持体に向く面において外延が隆起しており、前記ブラシ部を回転することにより使用者に前記噴出孔の位置を感知させるものである請求項８記載のヘアケア用具。
【請求項１０】
前記液体収納部は少なくとも一部が押圧変形可能なものである請求項１から９いずれか記載のヘアケア用具。
【発明の詳細な説明】
【技術分野】
【０００１】
本発明は、ヘアケア用具に関するもので、より具体的には、洗浄液等の液体を収容する容器と液体を流出できるブラシ部分とを有し、毛髪等の体毛を洗浄や整髪等をしながら液体を毛髪や頭皮等に直接塗布するためのヘアケア用具に関する。
【背景技術】
【０００２】
これまで、身体が自由に動けない寝たりきりの人、病気や怪我等で行動に制限が課されている人等はドライシャンプーやお湯を絞ったタオル等で髪の毛を清潔にしていたが、この方法では毛髪の周囲の汚れは取れるが、地肌の汚れや痒みを除去するには難しかった。また、握力や力の弱い高齢者や女性、あるいは身体の不自由な人の介護を業務としている人にとっても、洗髪は前準備等を含め非常に重労働で負担となる結果、洗髪回数が少なくなってしまうという傾向があった。このため、毛髪等の体毛を容易に洗浄や整髪ができるハンディな体毛洗浄具が要望されている。
【０００３】
この点、育毛剤や整髪料等の液体を収容した容器から液体誘導路を経てブラシ面に流出させ、ブラシ面から直接毛髪に塗布して整髪等をするようにしたものとして、例えば、特許文献１、特許文献２に開示されているヘアーブラシがある。特許文献１に開示のヘアーブラシは、ハンドルの一部分や取り付けたボトル部分に育毛剤や整髪剤などのトニック類を入れ、そのトニック類がブラシ内部の細管を通ってブラシ先端部より漏出する構造となっている。また、特許文献２に開示のヘアーブラシは、液を貯蔵するボトル状の薬液貯蔵室とブラシ部とからなり、液臓貯蔵室から中空の薬液充填室へと結ぶ薬液誘導路を有するもので、ブラシ部に取り付けられたブリッスルの先端部から薬液を漏出する構造となっている。
【特許文献１】特開平１０−３１３９４７号公報
【特許文献２】特開平１１−４６８６５号公報
【発明の開示】
【発明が解決しようとする課題】
【０００４】
しかしながら、これらのヘアーブラシは、ブラシ先端部あるいはブリッスルの先端部から洗浄液等の液体を漏出し、頭をマッサージしながら洗髪、整髪することはできるが、整髪時等にブラシが変形してしまうことを防ぐために剛性を持たせようとすると、頭皮と接触するブラシ先端部あるいは太径中空ブリッスルまでも剛性が高くなってしまい、頭皮を強く刺激して肌を傷めてしまうおそれがあった。一方、肌を傷めないようにブラシ先端部あるいは太径中空ブリッスルの剛性を弱くすると、ボトル部あるいはブラシ体の剛性も弱くなって、整髪時等に変形してしまうという問題があった。
【０００５】
本発明は、以上のような課題に鑑みてなされたものであり、その目的は、洗浄液等の液体を収容した容器を手で押し圧することにより該容器と連結したブラシ部から液体を流出させて毛髪や頭皮に塗布することができると同時に、洗髪時に変形しない強度を有しながらも頭皮をマッサージする突起部は肌を傷めない柔軟性を備えた、ハンディなヘアケア用具を提供することにある。
【課題を解決するための手段】
【０００６】
以上のような目的を達成するために、本発明においては、容器に取り付けるブラシの歯において導液可能に加工された突起部を有するようにするとともに、突起部とこれを支持する台座とを分離可能とすることで、液体がブラシ部の先端から流出可能とするとともにブラシの歯の部分のみの剛性を簡易に調整、交換できるようにし、かつ、液漏れ防止をも可能としたことを特徴とするものである。
【０００７】
本発明は具体的には以下のようなものを提供する。
【０００８】
（１）  ブラシ部と液体収納部とが分離可能に連結されてなる、人又は動物用のヘアケア用具であって、前記ブラシ部は、複数の突起及び当該突起の根元に位置する基板を備えた突起集合体と、当該突起集合体と着脱可能に結合される結合部を備えた支持体と、からなり、前記突起集合体は液体を前記根元から先端の穴に向かって流出できる流出孔を内部に備えた液体漏出用突起を少なくとも一つ有するものであり、前記支持体は前記液体収納部内の液体をブラシ部へ導入するための導入孔を前記液体漏出用突起と相対する位置に有するものであり、前記突起集合体と前記支持体とが結合された状態において前記流出孔と前記導入孔とは連結されて連通孔を形成するものであるヘアケア用具。
【０００９】
本発明によれば、ブラシ部の突起集合体と支持体とは別体となっているので、突起集合体と支持体とは剛性が異なる素材とすることができる。このため、頭皮と接する突起集合体は頭皮を傷めないように剛性の低い柔軟性を有するものとし、これを支持する支持体は変形が生じ難い剛性の強いものとすることで、頭皮をブラッシングしながら洗髪や整髪等をしても、ブラシ部が変形することなく、かつ、頭皮や地肌を傷めないようにすることができる。また、突起集合体の硬さを使用者が自分の好みに応じて変更できるため、各人が快適な洗髪等を行うことができる。更には、マッサージなどで突起が前後左右に擦られることにより、破損、磨耗、劣化した場合には、突起集合体のみを交換できるので、経済的である。
【００１０】
なお、突起集合体が取り付けられる支持体の結合部としては、例えば、突起集合体を挿入できる開口であって、その外周縁内面側に外周縁に沿って形成された嵌合溝を有し、この嵌合溝に突起集合体の基板の周縁部分を嵌め込むようにする構成がある。着脱に際しては、前記支持体が開口を広げるように湾曲させてもよく、前記基板を折り畳むようにして支持体の開口に挿入するようにしてもよい。
【００１１】
また、本発明によれば、突起の１個以上が、根元部分から先端部分に亘って貫通する流出孔を備えた液漏出用突起であるので、該突起の先端部分から、洗浄液等の液体を流出させて頭皮や地肌に塗布することができる。これによって、ブラシでマッサージしながら別容器に入った洗浄液等を使用するということをしなくてすみ、効率的かつ簡便に洗髪や整髪等をすることができる。そして、液体は頭皮や地肌に直接塗布されるので、毛髪や頭皮等へ効率よく付けることができ、洗浄液等の液体の使用量が少なくてすみ経済的である。更に、使用量が少なくなることで液体収納部自体もコンパクトなもので対応できるため、片手で持つことが可能な重量及び大きさにすることが可能となり、作業中に手首が疲れることもない。従って、身体が自由に動けない寝たきりの人や病気、怪我等で行動が制限されている人でも、ベッドや布団に寝たままで洗髪や整髪を容易にすることができる。また、握力や力の弱い高齢者や女性、あるいは老人等の介護を業務としている人にとっても、手軽な洗髪が可能になり、洗髪回数を多くしても負担が多大ではなくなる。
【００１２】
更に、本発明によれば、上述の流通孔は支持体が有する導入孔と一体となって液体の通過が可能な連通孔を形成している。このため、突起集合体と支持体とが分離可能となっていても液体漏れを防ぐことができ、手が必要以上に液体に触れることなく快適な洗浄作業を行うことができる。
【００１３】
加えて、本発明によれば、液体収納部とブラシ部とは、連結部分において取り付け、取り外しが自在にできるようになっている。従って、液体収納部の連結部分より液体の補充が可能であり、また、使用者に合った液体に交換したり、量を調節したりすることも容易にできる。
【００１４】
なお、本明細書において「ヘアケア用具」とは、人間の髪や頭皮あるいは動物の体毛や皮膚（地肌）の洗浄、脱毛防止や養毛のためのマッサージ、ブラッシングによる整髪など、髪と頭皮あるいは地肌に有効な作業を行うことができる用具をいう。
【００１５】
（２）  前記突起集合体は、前記基板の非突起面において前記基板を挟んで前記液体漏出用突起が位置する箇所の反対側に突設され、かつ、前記導入孔の突起集合体に向く開口又は当該開口上に設けられた凹部に嵌合できる形状及び大きさを備えた凸部を有するものであり、前記凸部内には前記流出孔が前記液体漏出用突起内から前記凸部内まで延長して設けられており、前記開口または前記凹部に嵌合された状態で前記流出孔が前記導入孔と連結されて前記連通孔を形成するものである（１）記載のヘアケア用具。
【００１６】
本発明によれば、突起集合体には、液体漏出用突起が位置する箇所の反対側に突出する凸部が形成されており、この凸部が支持体の導入孔の開口やその上に形成された凹部に嵌入されることで、液体漏出用突起の凸部が導入孔に密接されて、液体漏出用突起に形成された流通孔と支持体に形成された導入孔とが確実に連通されることになり、液体の流れ通路が確保される。また、凸部内の流出孔と支持体の導入孔とが連結して固定されることになるので、液体収納部から液体が噴出されても、確実に液体が流出孔へ送られる。
【００１７】
（３）  前記支持体は、前記突起集合体に向く面において前記導入孔の位置する箇所に突設され、かつ、前記液体漏出用突起の根元に位置する前記基板内部に存する流出孔の開口又はその開口上に設けられた凹部に嵌合できる大きさ及び形状の凸部を備えるものであり、前記凸部内には前記導入孔が支持体内部から延長して設けられており、前記凸部が前記開口又は前記凹部に嵌合された状態において前記流出孔と前記導入孔とが連結されて前記連通孔を形成するものである（１）記載のヘアケア用具。
【００１８】
本発明によれば、支持体には、前記導入孔の位置する箇所に凸部が突出するように形成され、しかもこの凸部が液体漏出用突起の根元部分内部に位置する流出孔の開口又はその上に形成された凹部に嵌合できる大きさ及び形状となっている。このため、かかる凸部が液体漏出用突起内部の流出孔や凹部に嵌入されることで、液体漏出用突起に形成された流出孔と支持体に形成された導入孔とが確実に連通されることになり、液体の流れ通路が確保される。また、突起集合体の液体漏出用突起と支持体とが連結して固定されることになるので、液体収納部から液体が噴出されても、液体が確実に流出孔へ送られ、液漏れを生じることを防ぐことができる。
【００１９】
（４）  前記突起集合体は、前記基板の非突起面において前記基板を挟んで前記液体漏出用突起が位置する箇所の反対側に突設され、前記液体漏出用突起内部から連続して形成された流出孔を内蔵する第１凸部を有するものであり、前記支持体は、前記突起集合体に向く面において前記導入孔の位置する箇所に突設され、前記支持体内から前記導入孔が連続して形成された導入孔を内蔵する第２凸部を有するものであり、前記第１凸部内の前記流出孔に前記第２凸部が嵌合され、又は、前記第２凸部内の前記導入孔内に前記第１凸部が嵌合されることにより、前記流出孔と前記導入孔とが連結されて前記連通孔を形成するものである（１）記載のヘアケア用具。
【００２０】
本発明によれば、突起集合体に形成された第１凸部と支持体に形成された第２凸部とは、お互いに嵌合されて密接されることになる。これにより、液体漏出用突起内から続く流出孔と支持体内から続く導入孔とが確実に連通されて液体の流路が確保されることになる。このため、液体収納部から噴出された液体が導入孔から確実に流出孔へと送られ、液漏れを生じることがない。
【００２１】
（５）  前記突起集合体は、前記流出孔が形成された液体漏出用突起からなる第１突起群と、前記連通孔を有さない突起からなる第２突起群と、を備えるものであり、前記第１突起群の液体漏出用突起は、前記第２突起群の突起より短い長さ寸法である（１）から（４）いずれか記載のヘアケア用具。
【００２２】
本発明によれば、第１突起群と第２突起群とでは突起の長さが違うため、第２突起群の突起の先端部が頭皮に触れても第１突起群の液体漏出用突起の先端部は頭皮に触れていないことになる。このため、第１突起群の液体漏出用突起に形成されている流出孔の開口が頭皮により塞がれることがなく、洗浄行為を行いながらいつでも液体を供給できるため、使い勝手が良好である。
【００２３】
（６）  前記突起集合体は、前記支持体に比べて剛性が低いものである（１）から（５）いずれか記載のヘアケア用具。
【００２４】
本発明によれば、支持体よりも突起集合体の剛性が低いので、ブラシ部全体としては洗髪時に変形しない剛性を有しながらも頭皮や毛髪などに優しい柔軟性を備えたものとすることができる。即ち、突起集合体は柔軟性を有する材質とできるため、ブラッシングしながら洗髪や整髪しても頭皮を傷めることがない。一方、支持体は突起集合体より剛性が高いので、変形し難く、ブラシ部自体の形状を保持可能な材質とできる。なお、このような支持体の材質としては、少なくとも液体収納部への取り付け、取り外し作業や、洗髪・整髪時のマッサージやブラッシング等に対して、変形しないような剛性と強度を有するものが好ましい。
【００２５】
（７）  前記支持体は、前記突起集合体を支持する支持部材と、前記液体収納部を取り付ける取付部材と、を有するものであり、前記液体収納部は、前記ブラシ部へ液体を供給するための開口である液供給口と、前記支持体に取り付けられるための被取付部材と、を備え、前記取付部材と前記被取付部材とは螺合して結合されるものである（１）から（６）いずれか記載のヘアケア用具。
【００２６】
本発明によれば、ブラシ部と液収納部との連結は、ブラシ部の支持体に設けられた取付部材と液体収納部に設けられた被取付部材とを結合することにより行われる。この結合部分は、取付部材と被取付部材とにそれぞれねじ山を設けることにより螺合できるようにすることが可能であり、後述の液調節機能をこの結合部分に持たせる場合には、かかる構造は特に有効なものとなる。
【００２７】
（８）  前記液体収納部の被取付部材には、液体噴出用の噴出孔が前記導入孔と同数以上形成された円盤状のキャップが取り付けられており、前記導入孔と前記噴出孔とは前記ブラシ部及び／又は前記液体収容部を回転させたときの回転中心から一定の半径を有する円周上に形成されるものであり、使用者が前記支持体及び／又は前記液体収容部を回転させることにより前記ブラシ部への液体供給量を調節できるものである（１）から（７）いずれか記載のヘアケア用具。
【００２８】
本発明によれば、支持体の取付部材の上面に形成された導入孔と液体収納容器のキャップに形成された噴出孔とは、同心円上から同一の距離にある同一円周上に形成されている。このため、支持体又はキャップのいずれか一方、あるいは両方を回転することで、導入孔と噴出孔とを連通させ、あるいは連通させないようにすることができ、また、孔同士が少しずれるようにすることで連通する孔の大きさを変更することもできる。更に、導入孔と噴出孔の個数を違えるようにすれば連通する孔の個数を調整できることになるので、ブラシ部から流出される液体量の微妙な調整が可能となる。
【００２９】
（９）  前記噴出孔の少なくとも一つは前記支持体に向く面において外延が隆起しており、前記ブラシ部を回転することにより使用者に前記噴出孔の位置を感知させるものである（８）記載のヘアケア用具。
【００３０】
本発明によれば、噴出孔の周囲を少し盛り上げているため、盛り上げた部分の内側に支持体の導入孔が位置するとその感触が使用者に伝わるようになっている。このため、噴出孔と導入孔との連通を視認するまでもなく確認することができる。
【００３１】
（１０）  前記液体収納部は少なくとも一部が押圧変形可能なものである（１）から（９）いずれか記載のヘアケア用具。
【００３２】
本発明によれば、液体を貯留できる液体収納部が押圧変形可能となっているので、着用者は押圧力を調整することで、液体がブラシ部へと供給される量を適宜変更することができる。このため、洗浄作業等に適した量の液体の使用を容易に行うことができる。
【発明の効果】
【００３３】
本発明によれば、突起集合体と支持体とは別体となっているため、支持体と突起集合体とは剛性の異なったものとすることが可能であり、突起集合体を頭皮を傷めないような柔軟性を有する材質のものとしても、支持体は剛性の高い強度の強い材質にすることができる。このため、頭皮を傷めることなく洗髪や整髪ができるとともに、洗髪や整髪等の作業中にブラシ部が変形するおそれもない。また、突起集合体の剛性はブラシ本数（突起部密度）や材質を変更することで容易に変えることができるので、洗髪時の肌に対する刺激等を好みに応じて選定することで、快適な洗髪等を行うことができる。しかも、突起集合体と支持体とは着脱自在に取り付けできる構成であるので、突起部が磨耗や劣化した場合、あるいは、破損した場合、あるいは、好みに応じたブラシ剛性や突起部の密度に変更する場合には、突起集合体のみの交換ですむために経済的である。
【００３４】
また、突起集合体に形成された流出孔と支持体に形成された導入孔とが連結してなる連通孔を通して、液体収納部に貯留された洗浄液等の液体が毛髪や頭皮に流出可能としているので、洗浄液等の液体が頭皮の表面に効率よく塗布される。このため、突起部の先端部でマッサージしながら洗浄、整髪できることになり、少ない使用量で毛髪の汚れや地肌の汚れ、痒みも除去でき、大量のお湯や洗面器等の容器を準備することなく、手軽に体毛を清潔にすることができる。そして、使用する洗浄液等の液体が少ないので、液体収納部もコンパクトなものとすることができる。以上のようなことから、片手で持つことが可能な重量及び大きさのハンディなものにすることが可能となり、作業中に手首が疲れることもない。これらによって、体の不自由な人や体力のない人、介護を業務としている人等が手軽に洗髪できるようになり、更には、キャンプ等のアウトドアにおいても、手軽に洗髪を行うことができる。
【発明を実施するための最良の形態】
【００３５】
以下、本発明のヘアケア用具について、実施の形態を図面等に基づいて説明する。なお、説明の便宜上、本発明に係るヘアケア用具を人の毛髪の洗浄具として使用した場合を中心に説明するが、これによって本発明が限定されるものではない。
【実施例１】
【００３６】
図１は、本発明のヘアケア用具の第１の実施例を示す斜視図であり、図２は、図１に示すヘアケア用具の縦断面図であり、図３は、図１に示すヘアケア用具のブラシ部を示す図で、（ａ）はブラシ部を構成する突起集合体と支持体の断面図であり、（ｂ）は突起集合体が支持体に取り付けられた状態を示す断面図である。また、図４は、洗浄液等の液体が収容された液体収納部を押し圧し、該液体がブラシ部の先端部から流出する状態を説明する模式図である。なお、この図では、判りやすくするために、寸法等は適宜調整してある。
【００３７】
＜構成＞
図１及び図２において、符番１に示されるヘアケア用具は、ブラシ部２と液体収納部５とを主要素として構成され、ブラシ部２の支持体４が液体収納部５の液供給口５２に螺合によって取り付けられている。
【００３８】
ブラシ部２は、図３（ａ）に示すように、突起集合体３と支持体４とからなり、支持体４は突起集合体３を取り付けるための開口４１の周縁に嵌合溝４２を備えている。このため、図３（ｂ）に示すように、突起集合体３の基板３１の外周縁が嵌合溝４２に嵌合されて突起集合体３が支持体４にしっかりと取り付けられ、一体となってブラシ部２を構成している。
【００３９】
ブラシ部２を構成する突起集合体３は、図３（ａ）に示すように、液体漏出用突起３２からなる第１突起群３２Ａと通常の突起３３からなる第２突起群３３Ａとが、根元に位置する基板３１に一体成型されて構成されている。液体漏出用突起３２は、根元部分３２ａから先端部分に貫通する流出孔３４が形成されていて、内部を液体が通過できるようになっている。一方、突起３３には流出孔３４は形成されておらず、液体が通過できないようになっている。流出孔３４は、本実施例では液体漏出用突起３２の内部を円錐状にくりぬいた形状になっているが、これに限定されるものではない。また、この流通孔３４はその先端を液体漏出用突起３２の先端部で開口するようにして形成されているが、これに限られるものではなく、液体漏出用突起３２の先端部分の外周壁部に開口するようにして形成されてもよく、また、先端部及び外周壁部の両方に開口するようにして形成されていてもよい。
【００４０】
本実施例では、ブラシ部２の先端部から洗浄液等の液体が流出されて塗布された部位の頭皮を第２突起群の突起３３で効率よくマッサージしながら洗髪できるように、第２突起群３３Ａが第１突起群３２Ａを囲むようにして基板３１の外周領域に配置されており、中央領域に第１突起群３２Ａの液体漏出用突起３２と第２突起群３３Ａの突起３３が混在して配置されている。また、第１突起群３２Ａの液体漏出用突起３２や第２突起群の突起３３は、円錐状、線状等といった通常のヘアーブラシの突起と同様の形状となっている。しかしながら、配置や形状はこれらに限定されるものではない。
【００４１】
突起集合体３を構成する材質としては、第１突起群３２Ａ及び第２突起群３３Ａが頭皮を傷めない程度の柔軟性を有し、基板３１が支持体４に形成された嵌合溝４２に外周縁を嵌入させて取り付けられるように手で変形可能な程度の柔軟性を有する弾性変形自在な材質のものであれば、特に限定されるものではない。このような材質としては、例えば、ポリエチレン（ＰＥ）、ポリプロピレン（ＰＰ）、ナイロン、シリコン、エラストマー等の合成樹脂やゴム等の弾性体が挙げられる。
【００４２】
支持体４は、図３（ａ）に示すように、基板３１を挿入できる開口を有するように平面視円形の略凹面鏡状に形成されており、上面側（突起集合体方向）の周縁部４１aが、内鍔状に構成されている。具体的には、図３（ｂ）に示すように基板３１の外周縁を嵌め込んで固定できるように、円弧状の断面形状である支持体４の開口４１の周縁部４１ａに嵌合溝４２が形成されている。
【００４３】
支持体４の略中央部分には、略円筒形状で内方（突起集合体方向）に突出する液収納部への取付部材４３が形成されている。この取付部材４３は、外方（反突起集合体方向）が開口し、側壁４３ａにはネジ山４４が形成されている。このネジ山４４を後述する液体収納部５の液供給口５２を有する被取付部材に螺合させて液体収納部５をブラシ部２に取り付けることが可能となっている（図２参照）。
【００４４】
図３（ａ）に示すように、取付部材４３の上面部４３ｂには、前記突起集合体３を支持体４に取り付けた際に第１突起群３２Ａに相対する位置に、突起集合体３方向に向けて突出するノズル状の凸部４５が複数形成されている。この凸部４５は、液漏出用突起３２に形成されている流出孔３４の根元部分３４ａに嵌合できる大きさと形状であって、内部には導入孔４６が貫通して形成されている。このため、凸部４５が液漏出用突起３２内に形成された流出孔３４の根元部分３４ａに嵌入されることにより、流出孔３４と導入孔４６とが連通される。そして、凸部４５の外壁が「垂直」であり、根元部分３４ａが「テーパー状」となっているため、凸部４５を根元部分３４ａに挿入した場合、凸部４５の外周先端が、根元部分３４ａの内周に長い距離で接触し、良好なシール状態を保つことができるようになっている。これにより、短く、かつ密閉された導液経路で洗浄液等の液体がブラシ部２の先端部分から流出することになるため、液体の漏れが防止できる。なお、この凸部４５の形状は、流出孔３４の根元部分３４ａに密着して嵌入できる様に、根元部分３４ａの形状に対応して、適宜変更してよい。
【００４５】
支持体４を構成する材質としては、洗髪や整髪時の頭皮マッサージやブラッシングに対してブラシ部２が変形しない程度以上の剛性と強度を有するものが好ましく、例えば、ポリエチレン（ＰＥ）、ポリプロピレン（ＰＰ）、ナイロン等の硬質な合成樹脂が挙げられる。
【００４６】
液体収納部５は、図２に示すように、容器本体５１と該容器本体５１の先端部に突出して形成された液供給口５２とからなり、液供給口５２には外側面にネジ山５３が形成されることにより被取付部材を構成している。容器本体５１は、その少なくとも一部が手による押し圧で変形できるような材質となっており、形状は片手で握りやすいようになっている。そして、液供給口５２から液体を注ぎ入れることにより、内部に液体を貯留保持する。この液体収納部５を構成する材質としては、例えば、ポリエチレン（ＰＥ）、ポリプロピレン（ＰＰ）、ナイロン（ポリアミド系合成線維）等の柔軟性を有する合成樹脂が挙げられる。
【００４７】
＜使用形態＞
本発明のヘアケア用具１は、まず、突起集合体３の基板３１の外周縁を支持体４の開口４１の周縁部４１ａに形成された嵌合溝４２に嵌入して、突起集合体３を支持体４に取り付ける。この際、支持体４の取付部材４３の上面部４３ｂに形成された凸部４５が突起集合体３の第１突起群３２Ａの流出孔３４の根元部分３４ａに嵌入されて、第１突起群３２が支持体４の取付部材４３の上面部４３ｂに固定されると共に、第１突起群３２に形成された流出孔３４と支持体４の取付部材４３の上面部４３ｂに形成された導入孔４６とが連通される。次いで、突起集合体３を支持体４に取り付けたブラシ部２の取付部材４３に液体が入った液体収納部５の液供給口５２を螺合して、支持体４を液体収納部５に取り付ける（図１から図３参照）。これによって、液体収納部５に収容された液体Ｌは、押圧変形可能な液体収納部５を手で押し圧することにより、図４に示す矢印のように、支持体４の導入孔４６及び突起集合体３の第１突起群３２Ａの流出孔３４を通って液体漏出用突起３２の先端部分から流出される。
【００４８】
また、洗髪に当たっては、容器本体５１を片手に持ち、ブラシ部２の液体漏出用突起３２、突起３３を髪の間に通しながら頭皮をブラッシングすると共に容器を適時加圧する。これにより、液体Ｌがブラシ部２の第１突起群３２Ａより流出して地肌に直接塗布されると同時に、適当な圧力を頭皮に加えながらブラシ部２を前後左右に動かすことにより、頭皮や髪の毛に液体が接触しマッサージしながら洗浄することができる。
【００４９】
そして、液体漏出用突起３２や突起３３の付け根は前後左右にこすられることにより劣化し、折れたり、あるいは磨耗することが考えられるが、突起集合体３は支持体４と別体であるため、定期的に交換をしたり、本人の好みにより突起の柔らかさを選ぶことができるようになっている。
【００５０】
なお、突起集合体の第１突起群に形成された流出孔と支持体の取付部材の上面に形成された導入孔との連結は、かかる流通孔と導入孔を備えた凸部と凹部の形状が、どちらかが「テーパーのついた形状」で、どちらかが「垂直の壁を有する形状」となっていることが、液漏れを防ぐ観点から好ましい。従って、上述の図３に示すように、凸部４５の外壁が「垂直」であって根元部分３４ａが「テーパー状」となっていてもよく、図５に示すように凸部３５がテーパー状で、凹部４７が垂直の壁を有する形状となっていてもよい。
【００５１】
この点、凸部と凹部とが同形状である場合には、以下のような不利益がある。即ち、嵌合状態において良好な密接状態を保つためには非常に高い成型精度が要求されることとなり、現実的には凸部と凹部との間に隙間が生じてしまう可能性が高い。また、両者の壁面が互いに垂直である場合には、凸部の凹部への嵌入が容易ではない。更に、凸部と凹部とが同形状であることにより突起集合体の交換を繰り返すたびに永久ひずみが発生し、凹部のへこみ部分が徐々に大きくなってしまう。一方、凸部か凹部のどちらか一方がテーパー状となっていれば、嵌入したときに容易に位置決めをすることができるため、凸部の凹部への嵌入が容易となる。
【００５２】
このようなことから、凸部か凹部のどちらか一方にテーパーを形成することにより、両者を嵌合した際にまず部分的に接触させ、その後圧入して付け根部分で密着できる構造とするほうが、両者が同形状である構造とするよりも好ましい。
【００５３】
ここで、図５について具体的に説明する。図５（ａ）はブラシ部を構成する突起集合体と支持体を示す断面図であり、（ｂ）は突起集合体を支持体に取り付けた状態を示す断面図である。
【００５４】
図５（ａ）に示すように、第１突起群の液体漏出用突起３２の根元部分３２ａには基板から支持体４の取り付け方向に向かって突設されたテーパー状の凸部３５が形成され、支持体４の導入孔４６の開口上には垂直の壁を有する凹部４７が形成されている。このため（ｂ）に示すように、凸部３５を支持体４の凹部４７を嵌入して固定することができる。そして、凸部３５の外周先端が凹部４７の内壁に長い距離で接触するため、良好なシール状態を保つことが可能となる。
【実施例２】
【００５５】
次に、本発明のヘアケア用具の第２実施例について説明する。図６は、本発明のヘアケア用具の第２の実施例を示す斜視図であり、図７は、図６に示すヘアケア用具の縦断面図であり、図８は、図６に示すヘアケア用具のブラシ部を示す図であって、（ａ）はブラシ部を正面からみた状態を示す正面図で、（ｂ）はブラシ部のＡ−Ａ線断面図で、（ｃ）は（ｂ）のブラシ部を構成する突起集合体と支持体の断面図である。なお、以下の実施例では第１の実施例のヘアケア用具と同一の構成要素には同一符号を付して、その重複する説明を省略する。また、判りやすくするために、寸法を適宜調整してある。
【００５６】
第２の実施例のヘアケア用具１Ａは、第１の実施例と同様に、ブラシ部２と液体収納部５とを主要素として構成され、ブラシ部２が液体収納部５の液供給口５２に螺合されて取り付けられている（図６及び図７参照）。
【００５７】
ブラシ部２は、第１の実施例と同様に、突起集合体３と支持体４とからなり、突起集合体３と支持体４とは、突起集合体３の基板３１の外周縁が支持体４の嵌合溝４２に取り換え自在に嵌合されて、一体化した構成とされている（図７参照）。
【００５８】
ブラシ部２を構成する突起集合体３は、図８（ａ）から図８（ｃ）に示すように、根元部分３２ａから先端部分に貫通する流出孔３４が形成された複数個の液体漏出用突起３２（本実施例では４個）と、流出孔３４を有さない複数個の突起３３（本実施例では３４個）と、所定位置に複数個の水切孔３６（本実施例では４個）が基板３１に設けられたものである。また、液体漏出用突起３２の根元部分３２ａには、外方（反突起集合体方向）に向かって略円筒形状（コ字状の断面形状）の第１凸部３５が形成されている。
【００５９】
液体漏出用突起３２及び突起３３は、図８（ａ）に示すように、突起３３が液体漏出用突起３２を囲むようにして基板３１の外周領域に配置され、中央領域には液体漏出用突起３２と突起３３が混在するようにして配されている。また、液体漏出用突起３２の長さは、突起３３よりも短く形成されている。このように、液体漏出用突起３２の長さを短くすることで、突起３３の先端部が頭皮に触れても液体漏出用突起３２の先端部は頭皮に触れていないことになるので、液体を流出する流出孔３４の開口が頭皮により塞がれることがなく、洗浄行為を行いながら、液体を頭皮や毛髪に供給でき、使い勝手がよい。しかしながらこれに限定されるものではなく、同じ長さであってもよい。
【００６０】
また、水切孔３６は図８（ａ）に示す４箇所に配置されている。この水切孔３６は、使用後に突起先端を洗浄した場合などには突起集合体３と支持体４との間に水が入り込んでしまうことが多いため、このような水をブラシ部２を振り切ることによって出すことができるようにするためのものである。なお、水切孔の数や配置は本実施例のようにするのが好ましいが、これに限定されるものではなく、水切が可能となるようなものであればよい。
【００６１】
突起集合体３を構成する材質としては、第１の実施例と同様に、液体漏出用突起３２及び突起３３が頭皮を傷めない程度の柔軟性を有し、また、基板３の外周縁を嵌着させて取り付けるために、使用者の手で変形可能な程度の柔軟性を有する弾性変形自在な材質のものであれば特に限定されるものではなく、例えば、ポリエチレン（ＰＥ）、ポリプロピレン（ＰＰ）、ナイロン、シリコン、エラストマー等の合成樹脂やゴム等の弾性体が挙げられる。
【００６２】
支持体４は、図８（ｃ）に示すように、平面視楕円の略板状に形成され、上面側（突起集合体方向）の周縁部４１aは内鍔状に形成されており、支持体４の開口４１側の周縁部４１ａには外周縁に沿って嵌合溝４２が形成されている。また、支持体４の略中央部分には、略円筒形状で外方（反突起集合体方向）に突出する取付部材４３を備えている。該取付部材４３は、外方（反突起集合体方向）が開口し、側壁４３ａにはネジ山４４が形成されている。なお、支持体４の材質としては、第１の実施例と同様に、洗髪や整髪時の頭皮マッサージやブラッシングに対してブラシ部２が変形しない程度以上の剛性を有するものが好ましく、例えば、ポリエチレン（ＰＥ）、ポリプロピレン（ＰＰ）、ナイロン等の合成樹脂が挙げられる。
【００６３】
突起集合体３には、液体漏出用突起３２の根元部分３２ａに略円筒形状の第１凸部３５が支持体４に向く方向に突出形成されている。一方、支持部４には取付部材４３の上面部４３ｂにおいて突起集合体３方向に向けて突出する略円筒形状の第２凸部４５が形成されており、この第２凸部４５の配置は、前記突起集合体３を支持体４に取り付けた際に液漏出用突起３２に相対して位置するようになっている。また、第２凸部４５は、第１凸部３５内に嵌入できる形状、寸法であって、内部には導入孔４６が貫通する形で形成されている。これによって、第２凸部４５が第１突起部３５内に嵌入され、液漏出用突起３２内の流出孔３４と支持体４内の導入孔４６とが連通することになる。
【００６４】
液体収納部５は図６及び図７に示すように、容器本体５１と該容器本体５１の先端部に斜め方向に外方に向けて突出して形成された液供給口５２とからなり、液供給口５２には側壁５２ａの外面にはネジ山５３が形成されている。このため、液体収納部５に対してブラシ部２が斜め方向に連結されることとなる。なお、容器本体５１は、第１の実施例と同様に、その少なくとも一部は手での押し圧により変形可能な材質で握りやすい形状に作られ、内部に液体を保持する。
【００６５】
なお、上述のようにブラシ部２が液体収納部５に対して斜めとなるようにすることにより、例えば、介護用品として使う場合に有効である。具体的には、寝たきりの老人の頭を洗うときには、介護者は頭を片手で支えて頭を枕から浮かし、他方の手で後頭部を洗うとこととなるが、この際、仮に「ブラシ部が保持している液体収納部に対して角度を有していない」場合には、用具の全長分だけ頭を浮かす必要があることになる。この点、本実施例に示すようにブラシ部２が液体収納部５に対して角度が有して取り付けられていれば、ブラシ部２が入るよりも若干長い距離があれば足り、介護者が頭を浮かす距離が短くなるため、洗髪作業が容易になる。
【００６６】
また、介護用品としてではなく自分で後頭部を洗う場合にも、ブラシ部に角度がついている方が腕を持ち上げる距離が少なくてすむため、持ちやすく洗いやすいということになる。
【００６７】
第２の実施例のヘアケア用具１Ａも、第１の実施例のヘアケア用具１と同様にして使用される。
【実施例３】
【００６８】
次に、本発明のヘアケア用具の第３の実施例について説明する。図９は、本発明のヘアケア用具の第３の実施例を示す縦断面図であり、図１０は、図９の液体収納部を説明する図で、（ａ）は液体収納部の液供給口を示す部分断面図、（ｂ）は（ａ）の拡大斜視図であり、図１１はブラシ部の支持体に形成される液導入孔及び液体収納部のキャップに形成される噴出孔の配置を説明するための模式図で、（ａ）は噴出孔の配置を説明する図、（ｂ）は導入孔の配置を説明する図である。なお、以下の実施例では第１の実施例のヘアケア用具と同一の構成要素には同一符号を付して、その重複する説明を省略する。また、判りやすくするために、寸法を適宜調整してある。
【００６９】
第３の実施例のヘアケア用具１Ｂは、図９に示すように、第１の実施例のヘアケア用具１において、液体収納部５の液流出口５２の先端部に噴出孔５５が形成されたキャップ５４を設けた構成のものである。
【００７０】
ブラシ部２は、第１の実施例と同様に、突起集合体３と支持体４とからなり、突起集合体３と支持体４とは、突起集合体３の基板３１の外周縁が支持体４の嵌合溝４２に取り換え自在に嵌合されて、一体化した構成とされている。
【００７１】
そして、ブラシ部２を構成する突起集合体３は、第１の実施例と同様の構造のものであって、図９に示すように、複数個の第１突起群の液体漏出用突起３２と第２突起群の突起３３とが基板３１に設けられたものである。液体漏出用突起３２には根元部分３２ａから先端部分に貫通する流出孔３４が第１の実施例と同様にして形成され、内部を液体が通過できるようになっており、一方、突起３３は流出孔等が形成されておらず液体が通過できないようになっている。そして、液体漏出用突起３２及び突起３３の配置は、第１の実施例と同様に、突起３３が液体漏出用突起３２を囲むようにして基板３１の外周側に配置されており、中央領域には液体漏出用突起３２と突起３３とが混在するようにして配置されている。また、これら液体漏出用突起３２と突起３３は、円錐状、棒状等といった通常のヘアーブラシと同様の形状であって、基板３１と一体化して形成されているのが好ましいが、これに限定されるものではない。そして、この突起集合体３を構成する材質も第１の実施例と同様に、液体漏出用突起３２及び突起３３が頭皮を傷めない程度の柔軟性を有し、また、支持体４に突起集合体３の基板３１の外周縁を嵌入させて取り付けるために、手で変形可能な程度の柔軟性を有する材質のものであれば特に限定されるものではない。
【００７２】
支持体４は、第１の実施例と同様に、平面視円状の略凹面鏡状に形成され、支持体４の開口４１側の外周縁に沿って嵌合溝４２が形成され、支持体４の略中央部分には略円筒形状で内方（突起集合体方向）に突出する取付部材４３が形成されている。該取付部材４３は、外方（反突起集合体方向）が開口し、側壁の内側面には、ネジ山４４が形成されている。
【００７３】
取付部材４３の上面部４３ｂには、前記突起集合体３を支持体４に取り付けた際に液体漏出用突起３２に相対する位置に、突起集合体３方向に向けて突出する凸部４５が形成されている（図９参照）。この凸部４５には、液体漏出用突起３２の流出孔３４の根元部分３２ａと略同一形状であって、内部には導入孔４６が貫通する形で形成されている。そして、導入孔４６は、図１１（ｂ）に示すように、取付部材４３の上面部４３ｂの円形より小さい半径の円周線上に等間隔（中心角が４５°となる位置）で８個が形成されている。支持体４の材質としては、第１の実施例と同様に、洗髪や整髪時のマッサージやブラッシングに対してブラシ部２が変形しない程度以上の剛性を有するものが好ましい。
【００７４】
液体収納部５は、第１の実施例と同様のものであって、少なくとも一部が手による押し圧によって変形可能な材質で握りやすい形状に作られ、内部に液体を保持する容器本体５１と該容器本体５１の先端部に突出して形成された液供給口５２とからなり、液供給口５２の側面にはネジ山５３が形成されている。そして、液供給口５２の先端部には、複数個の噴出孔５５が形成されたキャップ５４が支持体４の取付部材４３の上面部４３ｂに当設して設けられている。このキャップ５４に形成された噴出孔５５は、図１１（ａ）に示すように、支持体４の導入孔４６が形成されたと同一半径の円周線上に等間隔（中心角が４５°となる位置）で形成された８個の噴出孔５５ａと、２２．５°位相をずらした位置に形成された４個の噴出孔５５ｂとの、計１２個からなっている。支持体４に形成された導入孔４６と、キャップ５４に形成された噴出孔５５とは、同心円上に形成されているために、ブラシ部と液体収容部との結合状態が所定の場合に重なり合うことになる。具体的には、支持体４あるいはキャップ５４の一方を２２．５°回転することで、支持体４の導入孔４６と、キャップ５４の噴出孔５５とが連通する個数が８個あるいは４個に調整される。従って、この連通する孔の個数を変更することで、液体を液体収納部５から噴出する量を調整できる結果、ブラシ部２の先端部分から流出させる量の調整が可能となる。なお、同心円上に形成する導入孔４６同士、及び噴出孔５５同士の角度はこれに限定されるものではなく、調整したい液体量に応じて適宜選定すればよい。更に、キャップ５４の噴出孔５５の周囲を少し山形状に盛り上げて、盛り上げた部分が支持体４の導入孔４６に嵌入されるようにすると、噴出孔５５と導入孔４６との連通を確認することができるので好ましい。
【００７５】
なお、導入孔４６と噴出孔５５との数を同数とした場合には、ブラシ部と液体収納部をずらすことにより孔の大きさを調整して液排出量を変化させることができることとなる。
【００７６】
以上、本発明に係るヘアケア用具に関して、例を示す図面を参照しつつ具体的に説明したが、本発明はもとより図示例に限定される訳ではなく、前記の趣旨に適合し得る範囲で適当に変更を加えて実施することも可能であり、それらはいずれも本発明の技術的範囲に包含される。例えば、突起集合体の全ての突起に流出孔を設け、液体を吐出するようにしてもよい。
【産業上の利用可能性】
【００７７】
本発明のヘアケア用具は、人又は動物用なので、人体の毛髪等の体毛の洗髪や整髪のみではなく、室内犬等のペットや動物等の体毛の洗浄にも適用できる。
【図面の簡単な説明】
【００７８】
【図１】本発明のヘアケア用具の第１の実施例を示す斜視図である。
【図２】図１に示すヘアケア用具の縦断面図である。
【図３】図１に示すヘアケア用具のブラシ部を示す図で、（ａ）はブラシ部を構成する突起集合体と支持体の断面図であり、（ｂ）は突起集合体が支持体に取り付けられた状態を示す断面図である。
【図４】洗浄液等の液体が収容された液体収納部を押し圧し、該液体がブラシ部の先端部から流出する状態を説明する模式図である。
【図５】突起集合体の流出孔と支持体の導入孔とを連結する別の実施例を示す図である。
【図６】本発明のヘアケア用具の第２の実施例を示す斜視図である。
【図７】図６に示すヘアケア用具の縦断面図である。
【図８】図６に示すヘアケア用具のブラシ部を示す図であって、（ａ）はブラシ部を正面からみた状態を示す正面図で、（ｂ）はブラシ部のＡ−Ａ線断面図で、（ｃ）は（ｂ）のブラシ部を構成する突起集合体と支持体との断面図である。
【図９】本発明のヘアケア用具の第３の実施例を示す縦断面図である。
【図１０】図９の液体収納部を説明する図で、（ａ）は液体収納部の液供給口を示す部分断面図、（ｂ）は（ａ）の拡大斜視図である。
【図１１】ブラシ部に形成される導入孔及び液体収納部のキャップに形成される噴出孔の配置を説明するための模式図で、（ａ）は噴出孔の配置を説明する図、（ｂ）は導入孔の配置を説明する図である。
【符号の説明】
【００７９】
１、１Ａ、１Ｂ  ヘアケア用具
２  ブラシ部
３  突起集合体
３１  基板
３２  液体漏出用突起
３２ａ  根元部分
３３  突起
３４  流出孔
３５  （第１）凸部
４  支持体
４１  開口
４１ａ  周縁部
４２  嵌合溝
４３  取付部材
４４  ネジ山
４６  導入孔
４７  凹部
５  液体収納部
５１  容器本体
５２  液供給口
５３  ネジ山
５５  噴出孔
５５ａ  第１噴出孔
５５ｂ  第２噴出孔
【図１】
2005328918.tif 000003
【図２】
2005328918.tif 000004
【図３】
2005328918.tif 000005
【図４】
2005328918.tif 000006
【図５】
2005328918.tif 000007
【図６】
2005328918.tif 000008
【図７】
2005328918.tif 000009
【図８】
2005328918.tif 000010
【図９】
2005328918.tif 000011
【図１０】
2005328918.tif 000012
【図１１】
2005328918.tif 000013